(57)【要約】【課題】置き場所をとらないと共に、他の家具や調度品と調和が取れ、単独の使用や組合わせの選択によって様々な状況に対応できる後飾り仏壇を提供する。【解決手段】支持台２と、前記支持台２上に載置する仏壇本体４と、前記支持台２の前部に配置する後飾り台５と、前記支持台２の上部両側に取付ける袖板６との組み合わせからなり、前記支持台２と後飾り台５が略等しい高さに形成され、前記仏壇本体４は、前方に引き出すことのできる引き棚１２が設けられている。【選択図】図４
2011217838.tif 000002
【特許請求の範囲】
【請求項１】
前方に引き出すことができる引き出しを備えた支持台と、前面開口が扉によって開閉自在となるよう形成され、前記支持台上に載置する仏壇本体と、前記支持台の前部に配置するため、脚部の上に天板を張設して自立可能に形成された後飾り台と、前記支持台の上部両側に外方へ水平に張り出すよう着脱可能に取付ける袖板との組み合わせからなり、
前記支持台と後飾り台が略等しい高さに形成され、前記仏壇本体は、前方に引き出すことのできる引き棚が設けられている後飾り仏壇。
【請求項２】
上記仏壇本体は、前面が開口した角形の箱状に形成され、前面の開口が両開きの扉によって開閉自在となり、内部の下部位置に載置段が設けられ、この載置段に引き棚が前方に引き出すことができるように収納されている請求項１に記載の後飾り仏壇。
【発明の詳細な説明】
【技術分野】
【０００１】
この発明は、組合わせの選択によって、仏壇、後飾り、納骨堂として使い分けることができる後飾り仏壇に関する。
【背景技術】
【０００２】
一般家庭の中に常設されている仏壇は、故人の位牌と共に写真等を納めて祭るものであるが、従来の仏壇は、仏教各宗派ごとに合わせて内外を豪華な作りにしている（例えば、特許文献１参照）。
【０００３】
また、故人の遺骨は、骨上げ後一度家に持ち帰り、四十九日の忌明けまで安置するために後飾り祭壇を自宅の仏壇近くや、部屋の北側または西側に設置することが行われている（例えば、特許文献２参照）。
【０００４】
ところで、近年、住宅事情や部屋の洋風化と共に、故人をお祭りする場合の意識や認識の変化から仏壇に対する考えも変わってきており、設置に対してスペースをとらず、見た目も他の家具類と調和のとれる仏壇の要望が高まっている。
【０００５】
また、従来の後飾り祭壇は、複数段の段状に形成され、白木のままもしくは白い布を被せ、その上に、香炉、燭台、鈴と共に遺骨、位牌を安置し、忌明けまでお祭りするものである。
【先行技術文献】
【特許文献】
【０００６】
【特許文献１】特開２００８−２００３９６号公報
【特許文献２】特開２００４−１６５６４号公報
【発明の概要】
【発明が解決しようとする課題】
【０００７】
ところで、従来の仏壇は、内外を豪華な作りにしているので、どうしても他の家具や調度品と調和が取れないだけでなく、比較的大きな箱状になっているので、設置するための場所にスペースが必要になり、仏壇を購入する場合のネックになっている。
【０００８】
また、従来の後飾り祭壇は、仏壇との調和や関連性にうすく、忌明け後に不要となった時点で転用性に乏しく、次の仏事で使用するまでに格納しておく場合に場所がいるという問題がある。
【０００９】
そこで、この発明の課題は、仏壇本体をコンパクトにして置き場所をとらないと共に、他の家具や調度品と調和が取れ、単独の使用や組合わせの選択によって様々な状況に対応でき、使用済みの後飾り祭壇を他に転用可能となる後飾り仏壇を提供することにある。
【課題を解決するための手段】
【００１０】
上記の課題を解決するため、この発明は、前方に引き出すことができる引き出しを備えた支持台と、前面開口が扉によって開閉自在となるよう形成され、前記支持台上に載置する仏壇本体と、前記支持台の前部に配置するため、脚部の上に天板を張設して自立可能に形成された後飾り台と、前記支持台の上部両側に外方へ水平に張り出すよう着脱可能に取付ける袖板との組み合わせからなり、前記支持台と後飾り台が略等しい高さに形成され、前記仏壇本体は、前方に引き出すことのできる引き棚が設けられているようにしたものである。
【００１１】
上記仏壇本体は、前面が開口した角形の箱状に形成され、前面の開口が両開きの扉によって開閉自在となり、内部の下部位置に載置段が設けられ、この載置段に引き棚が前方に引き出すことができるように収納されているようにすることができる。
【００１２】
ここで、上記支持台は、四本の脚体で角形天板の四隅を支持した自立可能な構造を有し、天板の下部に引き出しが前部から出し入れ操作できるように設けられ、この支持台上に載置する仏壇本体は、その平面形状が前記天板と略等しい大きさになっている。
【００１３】
上記袖板は、支持台における天板と等しい奥行きと、その上面に小灯篭を載置することができる程度の幅を有する矩形状に形成され、一方の側面に複数の突起が設けられ、天板の側面には前記突起の差込み孔を突起の数だけ設け、必要に応じて前記突起を差込み孔に差し込むことにより、天板の側面に水平状態で張り出すように取付けられる。
【００１４】
上記後飾り台は、上記支持台と同様、四本の脚体で角形天板の四隅を支持した自立可能なテーブル状に形成され、その天板は支持台の天板と略同一高さに設定され、例えば、幅７５０ｍｍ、奥行き３５０ｍｍ程度の大きさを有し、位牌や骨壷、写真額を安置することができるようになっており、それ単体で用いたり仏壇本体の前に設置し、後飾りとして忌明けまで用いると共に、使用済みの後は物置台やテーブルとして使用できる。
【発明の効果】
【００１５】
この発明によると、支持台と、この支持台上に載置する仏壇本体と、前記支持台の前部に配置する後飾り台と、前記支持台の上部両側に取付ける袖板との組み合わせによって形成されているので、支持台と仏壇本体の組合わせによる仏壇や納骨堂、後飾り台の単独使用若しくはこの仏壇前に後飾り台を設置することによる後飾り、支持台へ取付けた袖板への小形灯篭の載置による飾り仏壇や飾り後飾り等、各構成部材を単独使用及びそれぞれの組み合わせを選択することにより様々な状況に対応することができる。
【００１６】
また、支持台と仏壇本体の組合わせによって仏壇本体のデザイン的な自由度が増し、洋室へのマッチング及び他の家具や調度品と調和が取れた仏壇を形成することができ、仏壇本体の小形化を可能にすることで、置き場所をとらない仏壇を形成することができる。
【００１７】
更に、後飾り台は、脚体と天板で形成されているので、シンプルなテーブル形となり、後飾りへの使用による忌明け後は、テーブルや物置台として利用することができる。
【図面の簡単な説明】
【００１８】
【図１】（ａ）は後飾り仏壇における支持台と仏壇本体を組合わせて仏壇を形成し、その仏壇本体の扉を開いた状態の正面図、（ｂ）は同じく仏壇本体の扉を閉じた状態の正面図
【図２】後飾り仏壇における支持台と仏壇本体を組合わせて形成した仏壇の縦断側面図
【図３】支持台と仏壇本体を組合わせた仏壇の前に後飾り台を設置した後飾り仏壇において仏壇本体の扉を開いた状態の正面図
【図４】仏壇と後飾り台及び椅子の組み合わせを示す後飾り仏壇の斜視図
【発明を実施するための形態】
【００１９】
以下、この発明の実施の形態を図示例に基づいて説明する。
【００２０】
図示のように、後飾り仏壇は、前方に引き出すことができる引き出し１を備えた支持台２と、前面開口が扉３によって開閉自在となるよう形成され、前記支持台２上に載置する仏壇本体４と、前記支持台２の前部に配置する自立可能な後飾り台５と、前記支持台２の上部両側に外方へ水平に張り出すよう着脱可能に取付ける袖板６と、下部に取付けた複数のキャスター７によって移動自在となる椅子８の組み合わせによって形成され、前記支持台２とその上に載置した仏壇本体４が仏壇を形成することになる。
【００２１】
上記支持台２は木製であり、四本の脚体９で角形天板１０の四隅を支持した自立可能な構造を有し、天板１０の下部に引き出し１が前部から出し入れ操作できるように設けられ、例えば、高さが７３０ｍｍ、天板１０の幅が３５０〜４５０ｍｍ程度、天板１０の奥行きが２５０ｍｍ〜３５０ｍｍ程度の大きさに形成されている。
【００２２】
この支持台２上に載置する仏壇本体４は、前面が開口する木製の角形箱状であり、前面の開口は、両側に観音開きとなる扉３によって開閉自在となり、その内側下部位置に複数段の載置段１１が設けられ、この載置段１１に引き棚１２が前方に引き出すことができるように収納されている。
【００２３】
上記仏壇本体４は、組合わせ使用する支持台２の天板１０上に収まる幅と奥行きを有する平面的な大きさとなり、高さは３２０ｍｍ〜５５０ｍｍ前後に設定され、この仏壇本体４は、内部に照明設備を設け、外部に照明設備のオン、オフスイッチを設けたり、扉３に木目調等の装飾を施すようにすることができ、今日の住宅事情に合わせて洋風の家具調デザインで、フローリングの洋室にも違和感のないものに形成され、しかも、寸法的にこじんまりした大きさとすることで、狭い部屋でも場所をとらずに設置することができる。
【００２４】
上記後飾り台５は木製であり、四本の脚体５ａで角形天板５ｂの四隅を支持した自立可能な構造を有し、例えば、天板１２は幅が７５０ｍｍ、奥行きが３５０ｍｍ程度の大きさを有し、上記支持台２と略等しい高さに形成されている。
【００２５】
上記袖板６は、支持台２における天板１０と等しい奥行きと、その上面に小灯篭を載置することができる程度の幅を有する矩形状に形成され、一方の側面に複数の突起１３が設けられ、支持台２における天板１０の側面には前記突起１３の差込み孔１４を突起１３の数だけ設け、前記突起１３を差込み孔１４に差し込むことにより、天板１０の側面に水平状態で張り出すように取付けるようになっている。
【００２６】
なお、上記椅子８は、使用しないとき支持台２や後飾り台５の下に納まるようなボックスタイプになっている。
【００２７】
この発明の後飾り仏壇は、上記のような構成であり、支持台２を室内の所定位置に設置し、この支持台２の上に仏壇本体４を載せ、常設するための仏壇として使用し、仏壇本体４内の載置段１１上に位牌や遺影を安置し、仏事を執り行うときは、扉３を開き、載置段１１から手前に引き出した引き棚１２の上に香炉や燭台、鈴等の仏具を並べるようにし、このとき、支持台２の両側に袖板６を取付け、その上に小形灯篭等の装飾具を載置するようにしてもよい。
【００２８】
また、葬儀が終わったあとの後飾り祭壇とする場合は、後飾り台５を単独で仏壇近くや部屋の北側または西側に設置するか、図４のように、上記した仏壇における支持台２の前に設置し、この後飾り台５を白木のままもしくは白い布を被せて使用し、その天板１２の上に、香炉、燭台、鈴と共に遺骨ａ、位牌ｂ、遺影ｃを安置し、忌明けまでお祭りする。
【００２９】
上記した仏壇に対してお参りしたり後飾り台５を用いて仏事を執り行う場合、椅子８に座ることで肉体的な負担の軽減を図ることができる。
【００３０】
忌明け後は、後飾り台５を撤去することになるが、この後飾り台５は、テーブルや物置台として使用することができ、狭い居住空間において特別な格納場所を確保する必要がなくなる。
【符号の説明】
【００３１】
１          引き出し
２          支持台
３          扉
４          仏壇本体
５          後飾り台
６          袖板
７          キャスター
８          椅子
９          脚体
１０        天板
１１        載置段
１２        引き棚
１３        突起
１４        差込み孔
【図１】
2011217838.tif 000003
【図２】
2011217838.tif 000004
【図３】
2011217838.tif 000005
【図４】
2011217838.tif 000006